(57)【要約】【課題】トラッキング現象が抑制できる直管形ＬＥＤランプを提供する。【解決手段】複数のＬＥＤ素子１０３が実装されるＬＥＤモジュール１０１と、少なくとも一部が透光性を有し、ＬＥＤモジュール１０１を収容する直管カバー１０２と、直管カバー１０２の両端に固定される口金本体１２１、及び口金本体１２１の端面から直管カバー１０２長手方向に突出する一対の給電端子１２２を有する口金１２０と、を備えた片側給電タイプの直管形ＬＥＤランプ１００において、口金本体１２１は、樹脂で形成されるのであって、口金本体１２１の外面で、かつ、一対の給電端子１２２間の領域１２５に炭化抑制部１２４を設けている。【選択図】図３
2020198226.tif 000002
【特許請求の範囲】
【請求項１】
複数のＬＥＤ素子が実装されるＬＥＤモジュールと、
少なくとも一部が透光性を有し、前記ＬＥＤモジュールを収容する直管カバーと、
前記直管カバーの両端に固定される口金本体、及び前記口金本体の端面から前記直管カバー長手方向に突出する一対の給電端子を有する口金と、を備えた片側給電タイプの直管形ＬＥＤランプにおいて、
前記口金本体は、樹脂で形成されるのであって、前記口金本体の外面で、かつ、前記一対の給電端子間の領域に炭化抑制部を設けたことを特徴とする直管形ＬＥＤランプ。
【請求項２】
前記炭化抑制部は、無機材料で構成されていることを特徴とする請求項１に記載の直管形ＬＥＤランプ。
【請求項３】
前記炭化抑制部は、絶縁セラミックで構成されることを特徴とする請求項２に記載の直管形ＬＥＤランプ。
【請求項４】
前記炭化抑制部は、前記一対の給電端子間に設けられた凹部であることを特徴とする請求項１に記載の直管形ＬＥＤランプ。
【発明の詳細な説明】
【技術分野】
【０００１】
本発明は、片側給電タイプの直管形ＬＥＤランプに関する。
【背景技術】
【０００２】
近年、ＬＥＤ（Ｌｉｇｈｔ  Ｅｍｉｔｔｉｎｇ  Ｄｉｏｄｅ：発光ダイオード）は、高効率及び長寿命であることから、従来から知られる蛍光灯や白熱電球などの各種ランプにおける新しい光源として期待されており、ＬＥＤを用いたランプ（ＬＥＤランプ）の研究開発が進められている。
【０００３】
ＬＥＤランプとしては、両端部に電極コイルを有する直管形蛍光灯に代替する直管形ＬＥＤランプがある。
【０００４】
直管形ＬＥＤランプは、両端に口金本体及び口金本体から突設された一対の給電端子を備える口金を有している。この直管形のＬＥＤランプは、商用電源（ＡＣ１００／２００Ｖ）が直管形ＬＥＤランプの片側の一対の給電端子に直結される片側給電タイプが公知である。この直管形ＬＥＤランプは、例えば、壁材や天井材に取付けられる照明器具に装着されたソケットに、一対の給電端子を差し込んで設置される。
【先行技術文献】
【特許文献】
【０００５】
【特許文献１】特開２０１４−２３５９２８号公報
【発明の概要】
【発明が解決しようとする課題】
【０００６】
ところで、近年、商用電源が直結される片側給電タイプの直管形ＬＥＤランプは、ソケットに差し込んだ一対の給電端子の周辺に埃や湿気などが付着し、局部的に絶縁性が低下した際に電流が流れ、ショートを起こして火花放電が繰り返され、その熱が絶縁部を加熱し、表面に炭化経路（トラック）が形成される。炭化経路は電気を流し、最終的に炭化部分から出火するトラッキング現象が大きな問題となっている。
【０００７】
また、従来の安定器にて点灯される直管形蛍光灯用の照明器具をそのまま流用し、既設の安定器を介して商用電源が供給されるレトロフィットタイプの直管形ＬＥＤランプも同様のトラッキング現象が発生する問題がある。
【０００８】
従来、特許文献１の口金本体は、一対の給電端子間の火花放電を抑制するために、絶縁性を有する合成樹脂で形成されており、一対の給電端子間に突出部を設けて一対の給電端子間の絶縁性を向上させている。しかし、特許文献１の口金では、火花放電が繰り返し発生した場合、合成樹脂が徐々に炭化するため、炭化経路が形成され、トラッキング現象の発生を抑制することが困難である。
【０００９】
本発明は、このような課題に鑑みてなされたものであり、商用電源が直接供給される片側給電タイプ、もしくは前述の直管形蛍光灯用器具をそのまま流用し、既設の安定器を介して商用電源が供給されるタイプにおいて、一対の給電端子間の炭化経路の発生がなく、トラッキング現象が抑制できる直管形ＬＥＤランプを提供することを目的とする。
【課題を解決するための手段】
【００１０】
本発明の一様態に係る直管形ＬＥＤランプは、複数のＬＥＤ素子が実装されるＬＥＤモ
ジュールと、少なくとも一部が透光性を有し、ＬＥＤモジュールを収容する直管カバーと、直管カバーの両端に固定される口金本体、及び口金本体の端面から直管カバー長手方向に突出する一対の給電端子を有する口金と、を備えた片側給電タイプの直管形ＬＥＤランプにおいて、口金本体は、樹脂で形成されるのであって、口金本体の外面で、かつ、一対の給電端子間の領域に炭化抑制部を設けている。
【発明の効果】
【００１１】
本発明の直管形ＬＥＤランプは、一対の給電端子間の炭化経路の発生がなく、トラッキング現象が抑制できる。
【図面の簡単な説明】
【００１２】
【図１】実施の形態１に係る直管形ＬＥＤランプの外観を示す斜視図である。
【図２】実施の形態１に係る商用電源に接続した直管形ＬＥＤランプ示す説明図である。
【図３】実施の形態１に係る口金を示す斜視図である。
【図４】実施の形態１に係る口金の側断面図である。
【図５】実施の形態２に係る口金を示す斜視図である。
【図６】実施の形態２に係る口金の側断面図である。
【発明を実施するための形態】
【００１３】
以下、実施の形態について、図面を参照しながら説明する。なお、以下で説明する実施の形態は、いずれも包括的または具体的な例を示すものである。以下の実施の形態で示される数値、形状、材料、構成要素、構成要素の配置位置及び接続形態などは、一例であり、本発明を限定する主旨ではない。また、以下の実施の形態における構成要素のうち、最上位概念を示す独立請求項に記載されていない構成要素については、任意の構成要素として説明される。
【００１４】
なお、各図は模式図であり、必ずしも厳密に図示されたものではない。
【００１５】
また、各図において、実質的に同一の構成に対しては同一の符号を付しており、重複する説明は省略または簡略化される場合がある。
（実施の形態１）
図１は、実施の形態１に係る直管形ＬＥＤランプ１００の外観を示す斜視図である。
【００１６】
図１に示すように、本実施の形態の直管形ＬＥＤランプ１００は、例えば、屋内の天井などに取り付けられ、屋内の空間を照明するための照明装置である。
【００１７】
直管形ＬＥＤランプ１００は、複数のＬＥＤ素子１０３が実装されるＬＥＤモジュール１０１と、少なくとも一部が透光性を有し、ＬＥＤモジュール１０１を収容する直管カバー１０２と、直管カバー１０２の両端に固定される口金本体１２１、及び口金本体１２１の端面から直管カバー１０２長手方向に突出する一対の給電端子１２２を有する口金１２０とを備えている。
【００１８】
ＬＥＤモジュール１０１は、ＬＥＤ素子１０３が基板１０４上に直接実装されたＣＯＢ（Ｃｈｉｐ  Ｏｎ  Ｂｏａｒｄ）型、またはＳＭＤ（Ｓｕｒｆａｃｅ  Ｍｏｕｎｔｅｄ  Ｄｅｖｉｃｅ）型の発光モジュールである。本明細書では、ＣＯＢ型のＬＥＤモジュール１０１の構成を想定して説明していく。
【００１９】
ＬＥＤモジュール１０１は、基板１０４と、およびこの基板１０４の表面に形成された複数の発光部１０５と、ＬＥＤモジュール１０１外部から発光部１０５を発光させるため
の電力を受ける電極端子（不図示）とを備えている。
【００２０】
基板１０４は、例えば、金属やセラミックスあるいは絶縁材料で、直管カバー１０２内に挿入可能になるよう直尺矩形状に形成されている。
【００２１】
発光部１０５には、半導体発光素子としてＬＥＤ素子１０３が用いられている。基板１０４上には、複数のＬＥＤ素子１０３が基板１０４の長手方向に沿って、一列に実装され、これらの複数のＬＥＤ素子１０３がワイヤボンディングなどによって電気接続され、蛍光体を混入した例えばシリコーン樹脂などの透明樹脂で構成される蛍光体層で複数のＬＥＤ素子１０３が一体に覆われている。ＬＥＤ素子１０３としては、例えば、通電されると青色光を発光する青色ＬＥＤ素子が用いられ、蛍光体層にはＬＥＤ素子１０３からの青色光の一部により励起されて黄色光を放射する蛍光体が混入されている。したがって、ＬＥＤ素子１０３および蛍光体層などによって発光部１０５が構成され、この発光部１０５の表面である蛍光体層の表面が発光面となり、発光面から白色系の照明光が放射される。
【００２２】
電極端子は、発光部１０５を発光させるための直流電力を受電する端子であって、基板１０４の一方の端部に形成されてあって、後述する一対の給電端子１２２に接続されている。
【００２３】
直管カバー１０２は、直尺筒状であり、内部にＬＥＤモジュール１０１を収容する。直管カバー１０２は、ガラスまたはアクリルもしくはポリカーボネートなどの樹脂材料によって形成され、透光性を有する。
【００２４】
なお、直管カバー１０２は、略半割の透光性カバー及び略半割の金属で構成される基台を重ね合わせることで全体を略円筒形状に形成してあってもよい。
【００２５】
なお、直管カバー１０２は、光拡散性を有してもよい。これにより、ＬＥＤモジュール１０１から放射された光を、直管カバー１０２を通過する際に拡散させることができる。
【００２６】
直管カバー１０２の両端は、それぞれ口金１２０で覆われている。
【００２７】
口金１２０は、底板１２３を有する円筒に形成された口金本体１２１と、一対の給電端子１２２とを備えている。
【００２８】
口金１２０の形状は限定されるものではないが、口金１２０を構造物に取り付けるためのソケットとの相性から、例えば、従来蛍光ランプと同じＧ１３口金と同じ形状の口金か、日本電球工業会にてＪＥＬ８０３として日本電球工業会規格に制定されているＭ形（ＧＺ１６）口金を用いるのが好ましい。
【００２９】
なお、Ｇ１３形口金の場合、一対の給電端子１２２の各径寸法は、Φ２．２９ｍｍ〜Φ２．４４ｍｍの範囲内で形成されている。
【００３０】
口金本体１２１は、電気絶縁性の合成樹脂、例えば、ポリブチレンテレフタレート（ＰＢＴ）、ＰＥＴ（ポリエチレンテレフタレート）などで形成されてあって、後述する炭化抑制部１２４を備えている。
【００３１】
なお、合成樹脂は、放熱性を向上させるため、絶縁性熱伝導樹脂であることが好ましい。
【００３２】
一対の給電端子１２２は、例えば、全体として細長い略円筒状で、アルミニウムなどの
金属材料などで形成されてあって、口金本体１２１が直管カバー１０２に設置された際、直管カバー１０２の長手方向に沿って底板１２３から突出して形成されている。
【００３３】
なお、一対の給電端子１２２は、鉄や銅などの金属材料で形成されてあってもよく、特に限定されるものではない。また、一対の給電端子１２２は、その表面にニッケルやスズなどのめっきが施されてあってもよい。こうした構造をとることによって、トラッキング現象が発生して一対の給電端子１２２間が高熱になった場合でも、一対の給電端子１２２が溶融することを抑制することができる。
【００３４】
図２は、実施の形態１に係る商用電源１０６に接続した直管形ＬＥＤランプ１００を示す説明図である。
【００３５】
図２に示すように、本実施の形態の直管形ＬＥＤランプ１００は、商用電源（１００／２００Ｖ）１０６からの交流電力を直流電力に変換する機能を有する電源回路１０７などを内蔵する片側給電タイプである。電源回路１０７は、例えば、一方の口金１２０などに内蔵されて、変換された直流電力を一対の給電端子１２２に供給する。つまり、片側給電タイプとは、基板１０４の片側からすべてのＬＥＤ素子１０３に給電を行う給電タイプのことである。
【００３６】
なお、他方の口金１２０は、直管形ＬＥＤランプ１００を照明器具に設置した際に、直管形ＬＥＤランプ１００を機械的に保持する役割を担う。
【００３７】
図３は、実施の形態１に係る口金１２０を示す斜視図である。図３に示すように、口金本体１２１は、樹脂で形成されるのであって、口金本体１２１の外面で、かつ、一対の給電端子１２２間の領域１２５に炭化抑制部１２４を設けている。
【００３８】
口金本体１２１の外面は、底板１２３の外側の面であって、凹凸がないように扁平に形成されている。口金本体１２１の外面には、例えば、Ｇ１３形口金の場合は、一対の給電端子１２２が約１３ｍｍ離れて突出して形成されている。
【００３９】
一対の給電端子１２２間の領域１２５に、略矩形状でシート状の炭化抑制部１２４を設けている。本明細書で、領域１２５とは、一対の給電端子１２２の一方から他方までの口金本体１２１の外面部分を示している。なお、領域１２５の幅方向の長さＬ１は、一対の給電端子１２２の各径寸法と同じ長さである。
【００４０】
炭化抑制部１２４は、絶縁セラミックなどの無機材料で構成されている。
【００４１】
炭化抑制部１２４は、少なくとも領域１２５の幅方向の長さＬ１と同じかそれ以上の長さに形成されている。なお、炭化抑制部１２４は、円形状であっても三角形状であってもよく、特に限定されることはない。
【００４２】
こうした構造をとることによって、トラッキング現象が発生して一対の給電端子１２２間が高熱になった場合でも、口金本体１２１の外面に不燃材料の炭化抑制部１２４が形成されているので、一対の給電端子１２２間で炭化経路を抑制することができる。
【００４３】
また、炭化抑制部１２４は、領域１２５の全体に形成されてあってもよい。こうした構造をとることによって、更に、一対の給電端子１２２間で炭化経路を抑制することができる。
【００４４】
図４は、実施の形態１に係る口金１２０の側断面図である。図４（ａ）に示すように、
口金本体１２１の外面が扁平に形成されてあって、その上にシート状の炭化抑制部１２４を形成してあってもよい。こうした構造をとることによって、従来に用いられている口金１２０に、シート状の炭化抑制部１２４を設けるだけで、炭化経路を抑制することができるので、製造が容易である。
【００４５】
なお、図４（ｂ）に示すように、口金本体１２１の外面は、一対の給電端子１２２間の領域１２５に側断面視略矩形状の凹部１２６が形成されてあって、その凹部１２６に炭化抑制部１２４が設けられている。炭化抑制部１２４は、凹部１２６に隙間なく嵌め込まれてあって、口金本体１２１の外面と側面視略面一になるように形成されている。つまり、凹部１２６の形状と炭化抑制部１２４の形状は略同じであることが好ましい。こうした構造をとることによって、口金本体１２１の外観を損なわずに、トラッキング現象による炭化経路を抑制することができる口金１２０を提供することができる。
【００４６】
凹部１２６は、領域１２５の幅方向の長さＬ１と同じ長さか、幅方向の長さＬ１よりも長く形成されていることが好ましい。また、凹部１２６は、領域１２５全体に形成されてあってもよい。凹部１２６の形状は、側面視略円形状であってもよく、特に限定されることはない。
【００４７】
なお、炭化抑制部１２４は、側断面視した場合に、凹部１２６から突出して設けられてあってもよい。
【００４８】
なお、図４（ｃ）に示すように、口金本体１２１の外面は、一対の給電端子１２２間の領域１２５に平面視略矩形状の開口部１２７が設けられている。開口部１２７は、底板１２３に貫通して設けられた貫通孔であって、炭化抑制部１２４が開口部１２７を隙間なく塞ぐように、側断面視略Ｈ字状に形成されている。
【００４９】
なお、開口部１２７は平面視円形状であってもよく、特に限定されることはない。
【００５０】
こうした構造をとることによって、一対の給電端子１２２間の領域１２５で、開口部１２７において炭化経路の原因となる樹脂材料が形成されていないので、更に、炭化経路の形成を抑制することができる。
（実施の形態２）
実施の形態２の基本的な構成は、実施の形態１と略同じである。よって、同一箇所には同一符号を付して説明を省略し、異なる箇所のみの説明を行う。これ以降の実施の形態も同様とする。
【００５１】
図５は、実施の形態２に係る口金１２０を示す斜視図である。図５に示すように、実施の形態２に係る炭化抑制部１２４は、一対の給電端子１２２間に設けられた凹部である。
【００５２】
炭化抑制部１２４は、平面視略矩形状であって、口金本体１２１の外面が窪んで形成された凹部である。なお、炭化抑制部１２４は、平面視略円形状であってもよく、特に限定されることはない。
【００５３】
図５（ａ）に示すように、炭化抑制部１２４は、領域１２５の幅方向の長さＬ１より長くなるように形成されている。
【００５４】
なお、炭化抑制部１２４は、少なくとも領域１２５の幅方向の長さＬ１と同じ長さ以上の長さであればよく、図５（ｂ）に示すように、領域１２５の幅方向の長さＬ１と略同じ長さに形成されてあってもよい。
【００５５】
こうした構造をとることによって、埃や塵などは、一対の給電端子１２２間における口金本体１２１の外面に溜まらず、炭化抑制部１２４に溜まるので、一対の給電端子１２２間の炭化経路の形成を抑制することができる。
【００５６】
図６は、実施の形態２に係る口金１２０の側断面図である。図６に示すように、炭化抑制部１２４の凹部の深さＬ２は、口金１２０の底板１２３から開口部（不図示）までに形成されてある。炭化抑制部１２４の凹部の深さＬ２が深いほど、一対の給電端子１２２間で発生した熱が凹部の底面１２８に伝わりにくくなるため、炭化経路の形成を抑制することができる。
【００５７】
なお、深さＬ２の寸法は、０．５ｍｍ〜３ｍｍ程度の範囲を想定するが、深すぎると口金の機械的強度が弱くなるため、１ｍｍ〜２．５ｍｍがより好ましい。
【００５８】
また、実施の形態２の炭化抑制部１２４の凹部の材料は、実施の形態１で用いた絶縁セラミックで形成されてあれば、凹部である炭化抑制部１２４が高熱によって溶融しにくく、更に、炭化経路の形成を抑制することができる。
【符号の説明】
【００５９】
１００    直管形ＬＥＤランプ
１０１    ＬＥＤモジュール
１０２    直管カバー
１０３    ＬＥＤ素子
１０４    基板
１０５    発光部
１０６    商用電源
１０７    電源回路
１２０    口金
１２１    口金本体
１２２    一対の給電端子
１２３    底板
１２４    炭化抑制部
１２５    領域
１２６    凹部
１２７    開口部
１２８    底面
【図１】
2020198226.tif 000003
【図２】
2020198226.tif 000004
【図３】
2020198226.tif 000005
【図４】
2020198226.tif 000006
【図５】
2020198226.tif 000007
【図６】
2020198226.tif 000008